(57)【要約】【課題】  粘性が小さく溶媒の揮発性が極めて高い撥油剤溶液を、微小量域に、均一かつ正確に塗布する。【解決手段】  塗布対象に接触する接触体を、鞘構造の内側に納め、接触体を含めて剛性を持たせる。その上で、鞘構造の内側、及び、接触体自身を伝って撥油剤溶液を塗布対象側に供給しつつ、接触体で塗布対象の表面をなぞる事で塗布する。すくなくとも塗布開始点は、二度塗りあるいは、それ以上の回数塗布する事で、更に均一性の高い塗膜が得られる。【選択図】図１
2006320890.tif 000002
【特許請求の範囲】
【請求項１】
フッ素樹脂を主要な構成成分とする撥油剤樹脂を、低粘度で速乾性の溶剤に溶かして得た低粘度撥油剤溶液を、機械部品の所定の部位に塗布する方法であって、
前記低粘度撥油剤溶液が流通する事ができる流通路を内部に有し、塗布作業に伴なう応力によって生ずる変形が実質的に無視できるだけの剛性を有する、塗布部と、
塗布作業時に前記機械部品の所定の部位に対して押し付ける事が可能な位置に配置され、該所定の部位に接触する部位若しくはその近傍に前記流通路の一端が開口する、接触体と、
前記低粘度撥油剤用液を貯え、前記流通路の他端に接続する、貯留部と、
からなる塗布器を用いて、
前記接触面を前記所定の部位に押し付けた状態で、該部位の表面に沿って前記接触体を相対的に移動させるものであり、
前記微細な流通路は、前記低粘度撥油剤溶液が内部を流通する際に粘性抵抗を与え、該低粘度撥油剤用液の前記開口からの流出を、塗布作業を可能ならしめる程度にまで遅滞させるものである、
事を特徴とする、撥油剤溶液の塗布方法。
【請求項２】
フッ素樹脂を主要な構成成分とする撥油剤樹脂を、低粘度で速乾性の溶剤に溶かして得た低粘度撥油剤溶液を、機械部品の所定の部位に塗布する方法であって、
前記低粘度撥油剤溶液が流通する事ができる流通路を内部に有し、塗布作業に伴なう応力によって生ずる変形が、該応力を除去することで実質的に消失するだけの弾性を有する、塗布部と、
塗布作業時に前記機械部品の所定の部位に対して押し付ける事が可能な位置に配置され、該所定の部位に接触する部位若しくはその近傍に前記流通路の一端が開口する、接触体と、
前記低粘度撥油剤用液を貯え、前記流通路の他端に接続する、貯留部と、
からなる塗布器を用いて、
前記接触面を前記所定の部位に押し付けた状態で、該部位の表面に沿って前記接触体を相対的に移動させるものであり、
前記微細な流通路は、前記低粘度撥油剤溶液が内部を流通する際に粘性抵抗を与え、該低粘度撥油剤用液の前記開口からの流出を、塗布作業を可能ならしめる程度にまで遅滞させるものである、
事を特徴とする、撥油剤溶液の塗布方法。
【請求項３】
請求項１又は２に記載の撥油剤溶液の塗布方法によって、機械部品の所定の部位に前記低粘度撥油剤溶液を塗布し、
塗布された溶液の溶媒が気化して該溶液の流動性が失われた後で、該塗布された領域の少なくとも一部に対して、前記の塗布方法によって、再度低粘度撥油剤溶液を塗布し、
該低粘度撥油剤溶液が２回以上塗布された領域を前記所定の部位内に形成する、
事を特徴とする、撥油剤溶液の塗布方法。
【請求項４】
機械部品表面上の所定の閉じた経路に沿って、撥油剤溶液を塗布する方法であって、
請求項１又は２に記載の撥油剤溶液の塗布方法によって、前記経路上の一点から塗布を開始し、
該経路に沿って連続して撥油剤溶液を塗布し、
少なくとも前記一点に再度撥油剤溶液を塗布した後、塗布を終了する、
事を特徴とする、撥油剤溶液の塗布方法。
【請求項５】
請求項１乃至４の何れかに記載の撥油剤溶液の塗布方法において、
前記流通路の開口は、前記貯留部内における撥油剤溶液の液面と略等しい高さに配置されている、
事を特徴とする、撥油剤溶液の塗布方法。
【請求項６】
請求項１乃至５の何れかに記載の撥油剤溶液の塗布方法において、
前記貯留部内部から前記流通路の開口に至る、撥油剤溶液の流通経路の何れかの位置に、
多孔質部材、繊維状部材、粒状部材の内の何れか１種類以上を充填し、撥油剤溶液の流通に抵抗を加えた、
事を特徴とする、撥油剤溶液の塗布方法。
【請求項７】
請求項１乃至６の何れかに記載の撥油剤溶液の塗布方法において、
前記塗布部は、前記接触体と、その周囲の少なくとも一部を覆い、前記撥油剤溶液を透過しない鞘からなる、
事を特徴とする、撥油剤溶液の塗布方法。
【請求項８】
請求項７に記載の撥油剤溶液の塗布方法において、
前記接触体は少なくとも一軸に対して回転対称な形状を有し、
前記鞘は先端に凹部を有し、前記接触体は該鞘に対して、少なくとも前記一軸について回転自在の状態で該凹部に取り付けられ、
前記凹部内周面と前記接触体周面との間には微小間隙が確保されており、
前記流通路は該微小間隙から構成される、
事を特徴とする、撥油剤溶液の塗布方法。
【請求項９】
請求項７又は８の何れかに記載の撥油剤溶液の塗布方法において、
前記接触体は中実の剛体であって、前記撥油剤溶液を透過しないものであり、
前記接触体外周と前記鞘の間に確保された間隙により、前記微細な流通路の少なくとも一部が構成されている、
事を特徴とする、撥油剤溶液の塗布方法。
【請求項１０】
請求項７又は８の何れかに記載の撥油剤溶液の塗布方法において、
前記接触体は、内部に撥油剤溶液が流通可能な微細な間隙を有し、該間隙は前記塗布部の流通路を構成する、
事を特徴とする、撥油剤溶液の塗布方法。
【請求項１１】
請求項１乃至６の何れかに記載の撥油剤溶液の塗布方法において、
前記塗布部及び前記接触体は、剛性を備えた多孔質材料からなる一体の部品であり、
前記流通路は該多孔質素材が有する細孔から構成される、
事を特徴とする、撥油剤溶液の塗布方法。
【請求項１２】
請求項１乃至１１の何れかに記載の撥油剤溶液の塗布方法において、
前記塗布部は一方向に延長した形状を有し、その先端に前記接触体が配置されている、
事を特徴とする、撥油剤溶液の塗布方法。
【請求項１３】
請求項１乃至１２の何れかに記載の撥油剤溶液の塗布方法において、更に、
前記機械部品を保持する、ワーク保持部と、
前記塗布器を保持する、塗布器保持部と、
前記塗布器、及び、前記塗布器保持部、及び、前記ワーク保持部の内の、何れか一つ以上に作用して、前記接触体が前記所定部位に押し付けられる力を調節する、付勢手段と、
を有する作業冶具を用いる、
事を特徴とする、撥油剤溶液の塗布方法。
【発明の詳細な説明】
【技術分野】
【０００１】
本発明は、低粘度の液体を、特定の部材表面に塗布する方法に関する。特に、フッ素系撥油剤樹脂を揮発性の高い有機溶媒で溶かして得られる、低粘度の撥油剤溶液の塗布方法に関する。
【背景技術】
【０００２】
フッ素系樹脂を初めとする撥油剤樹脂の被膜を、機械装置の特定の部分に形成し、撥水、撥油性を付与する事は、従来から行われてきた。しかし、被膜を自由に形成する事は難しく、従来から様々の工夫がなされてきた。
【０００３】
例えば、特許文献１乃至３には、刷け塗り、スプレーで吹き付ける、溶液中に浸漬したのち引き上げて乾燥させる、スピンコート、転写、筆などで特定の部位に溶液をたらす、等々の方法が記されている。さらには、真空蒸着や、プラズマ重合により、直接対象表面に撥油膜を形成する方法も提案されている。
【０００４】
しかし、真空蒸着等の方法は、大掛かりな設備が必要になる。浸漬法やスピンコートは、特定の部分に塗布する事が難しい。刷け塗りは、刷け先が変形するため、特定の部位に塗る事が困難である。特に、刷け先端付近では、溶剤の蒸発によって撥油剤が固化してこびりつき、刷毛の可撓性を損なうと同時に固化した撥油剤の塊が、対象物に付着してしまうと言う問題があり、特に精密部品への適用は困難である。
【０００５】
また、特許文献４において、見須らは、先端が近接した一対のノズルを用い、片方から撥油剤溶液を供給する一方、他方から吸収する事で、ノズルを対象物に非接触に保ったまま、局部的に撥油剤を塗布するという、独創的な方法を開示している。
【０００６】
【特許文献１】特開平６−１７１０８１
【特許文献２】特開２００２−４８１３３
【特許文献３】特開２００４−２１１８５１
【特許文献４】特開２００４−２８９９５７
【発明の開示】
【発明が解決しようとする課題】
【０００７】
目標とする箇所に正確に塗布する事が可能で、しかも、固化した撥油剤の塊などによって部品表面が汚染される事のない、撥油剤溶液の塗布方法を提供する。
【課題を解決するための手段】
【０００８】
本発明の請求項１に記載の撥油剤溶液の塗布方法では、塗布のために押し付けたぐらいでは殆ど変形しない程度の剛性を有する塗布部を、塗布対象表面に接触させ、この接触体を通じて、撥油剤溶液を塗布する。接触体が塗布対象に接触する接触面近くには、毛細間隙が開口しており、ここから撥油剤溶液を供給する。
【０００９】
この方法では、接触面近くから撥油剤を供給する為、溶媒の蒸発に寄る撥油剤の固化の影響を比較的受けにくい。また、接触体が剛性を持っているため、たとえ固化によって微細な塊が生じても、接触体に押される事で砕かれて、後から供給される撥油剤溶液の中に再び溶け込むので、これら微小な塊がゴミとなって周辺を汚染する事がない。また、接触体が剛性を持つため、接触面の大きさは、塗布作業を通じてあまり変化する事がなく、一定の幅で撥油剤溶液を塗布する事ができる。
【００１０】
本発明の請求項２に記載の撥油剤用液の塗布方法では、塗布部に対して一定の弾性変形を許容する。ただし、押し付ける力を除いた際には、そのような変形は直ぐに元に戻る程度の弾性を持たなくてはならない。従来用いていた、筆や刷毛などによる塗布では、塗布部が変形して元に戻らなくなるため、精度の良い塗布は困難であった。本発明ではそのような問題は解決する。
【００１１】
本発明の請求項３に記載の撥油剤溶液の塗布方法では、溶液を塗布し、溶媒が蒸発して流動性を失った後、同じ場所に再度塗布を行う。一度塗っただけでは、上述した接触体先端付近で固化した撥油剤の破片が、十分に消えない事がある。そのような場合でも、複数回塗る事で、塗膜の均一性を高める事ができる。
【００１２】
本発明の請求項４に記載の撥油剤溶液の塗布方法では、少なくとも撥油剤の塗布を開始した点を二度塗りする。塗布の開始点は、特に、接触体先端で固化した撥油剤が残存する可能性が高いが、少なくともその部分を二度塗りする事で、この最も問題を生じやすい部分を改善する事ができる。
【００１３】
本発明の請求項５に記載の撥油剤溶液の塗布方法では、毛細間隙の開口部と撥油剤溶液の液面をほぼ同一に保つことで、水圧によって多量の撥油剤溶液が流出する事がないようにする。撥油剤溶液の粘性は非常に低い事が多い為、毛細間隙の大きさ等を上手く選択しないと、流出量が多くなりすぎるが、この発明を用いる事で、そのような問題は回避できる。
【００１４】
本発明の請求項６に記載の撥油剤溶液の塗布方法では、撥油剤溶液の貯留部内部、若しくは、毛細間隙に供給する流通路の途中に、流体の流動を制限する、多孔質部材等を配置する。これは、撥油剤溶液に浸漬される部位に配置しても良いし、浸漬されない貯留部の開口部付近に取り付けても良い。撥油剤溶液の流通抵抗、若しくは、外部から貯留部内部に空気が流れ込む速度が低下するため、毛細間隙開口からの撥油剤の流出速度を低下させる事ができる。この発明を用いる場合は、請求項３の方法とは異なり、意図的に水圧がかかる配置としても構わない。
【００１５】
本発明の請求項７に記載の撥油剤溶液の塗布方法では、前記接触体の周囲を鞘で覆って塗布部を構成する。鞘で覆うことで、撥油剤溶液の蒸発を抑制する事ができる。加えて、鞘に剛性若しくは弾性を持たせることで、接触体としてより剛性や弾性の小さな素材を選択する事ができる。
【００１６】
本発明の請求項８に記載の撥油剤溶液の塗布方法では、接触体を塗布対象に対して回転させて、転がしながら塗布する。接触面を摺動させて塗布するに向かない素材に対しても、塗布する事ができる様になる。
【００１７】
本発明の請求項９に記載の撥油剤溶液の塗布方法では、接触体として中実な部材を用いる。毛細間隙は接触体と鞘の間に確保する。この発明によれば、接触面近傍まで伸びる流通路の形成が容易になる。
【００１８】
本発明の請求項１０に記載の撥油剤溶液の塗布方法では、接触体として内部に微細な間隙を有するものを選択し、この間隙を撥油剤溶液の流通路とする。流通路の形成が容易になる。また、接触面への撥油剤溶液の供給が安定する。
【００１９】
本発明の請求項１１に記載の撥油剤溶液の塗布方法では、接触体を多孔質材料から構成する。流通路の形成が容易になる。
【００２０】
本発明の請求項１２に記載の撥油剤溶液の塗布方法では、塗布部は細長い形状を有する。狭い場所小さな物品への塗布が容易になる。
【００２１】
本発明の請求項１３に記載の撥油剤溶液の塗布方法では、塗布対象に対して塗布部を適当な力で押し付ける、付勢機構を利用する。自動塗布を行っても、高い品質の塗膜が得られる。
【発明の効果】
【００２２】
本願発明による、撥油剤溶液の塗布方法を利用することで、次の効果が得られる。
【００２３】
特定の狙った部位に限定して、撥油剤溶液を塗布できる。塗布対象に対して塗布器具を押し付ける力を厳密にコントロールしなくとも、均一に塗布する事ができる。毛細間隙を通して溶液を供給するため、開口部も小さく、開口部で形成される詰まりも小さい。詰まりを生ずる固化した撥油剤樹脂の層も薄いため、詰まりの生じた表面を塗布対象表面に押し付けるだけで、詰まりは除去され、塗布作業を続ける事ができる。毛細間隙の開口と接触面が近接しているため、塗布途中で発生した詰まりは直ぐに剥がれ、大きな塊にはならない。粘性の小さい撥油剤溶液であっても、流出量を過剰にすること無く、塗布作業を行う事ができる。また、毛細間隙が鞘、若しくは、カバーによって外気から遮断されているため、溶剤の蒸発を防ぐ事ができる。更に、適切な装置を併用する事で、人手によらずとも、均一な塗布膜を得る事ができる。
【発明を実施するための最良の形態】
【００２４】
ハードディスク等に搭載されるスピンドルモータにおいては、シャフトの表面にフッ素樹脂からなる撥油膜を形成し、潤滑油の漏出を防止する事が多い。この場合、シャフト表面に塗布される撥油剤溶液は、典型的にはフッ素樹脂の濃度は１％であり、しかも、非常に揮発性の高い溶媒が用いられる。このような溶液を塗布するに際して、以下の塗布装置を用いて、本発明の塗布方法を実施した。
【実施例１】
【００２５】
図１に、シャフトの周面に撥油剤溶液を塗布するための塗布装置２の全体を示す。また、図２は、この装置の内、主に撥油剤溶液の塗布部近傍を拡大した図であり、軸方向から見た視野となっている。
【００２６】
図中のワーク受部７は、シャフトを受け止め、撥油剤を塗布する位置に保つ働きをする。この例では、シャフトの直径は２．５ｍｍである。ワーク受部７は中央が湾曲した形状をしており、その湾曲部の内側に、撥油剤溶液の塗布部３が、軸方向に隔たって２ヶ所設けられている。塗布対象物であるシャフト１は、チャック２１を介して、回転機構２２に接続しており、塗布時には回転させる事ができる。シャフト１、チャック２１、及び、回転機構２２は、蝶番２４を介して支えられており、図中点線で示したように、シャフト先端側を持ち上げられるようになっている。図１の構成では、蝶番に対して、図の左側が重くなっているため、何もせずとも、重力の作用によって、シャフト１はワーク受部７に向けて押し付けられる。この押し付ける力が大きすぎ、塗布部３の先端が変形してしまう場合は、バネ２３によって逆方向に引っ張り、付勢力を適切な大きさにまで減らす。
【００２７】
シャフト先端が容易に持ち上がるように構成されているため、シャフト１が回転軸に対して僅かに斜めに取り付けられていても、その傾斜は吸収されて、安定して塗布される。表面に僅かの凹凸がある場合でも、同様である。
【００２８】
図２において、撥油剤溶液をシャフト表面に塗布する塗布部３は、周方向の２ヶ所に設けられている。２ヶ所とする事で、塗布部３、３はシャフト１を安定して支持し、塗布する事ができる。この際、各々の塗布部から塗布される撥油剤溶液の濃度を、異ならせても良い。各々の塗布部３，３は、流通路９，９によって、貯留部５，５から撥油剤溶液を供給されている。この貯留部に投入される撥油剤溶液の濃度を異ならせる事で、異なった濃度の溶液を塗布する事が可能になる。
【００２９】
撥油剤溶液の溶媒の気化は非常に早いため、シャフトを毎秒２回程度回転させる条件では、シャフトが一回転する前に撥油剤溶液は流動性を失って固化する。図２右側の塗布部で塗布された撥油剤溶液は、左側の塗布部に達する前に固化している。
【００３０】
また、この塗布部３は、一ヶ所でも構わない。シャフト１を回転させつつ塗布するため、一ヶ所の塗布部で全周に塗布し、二度塗りする事も容易である。回転速度は１００ｒｐｍで作業を行った。回転速度は更に早くすることもできるが、３００ｒｐｍを越える速度では、作業を行いにくくなる。
【実施例２】
【００３１】
図３は、別の形態の塗布装置１２を説明する模式図である。この塗布装置１２では、塗布部３は、スライド機構２５によって支持されており、シャフト１の径方向に移動可能になっている。塗布部３と貯留部５は、バネ２３によって、シャフト表面に向って押し付けられるようになっており、その状態でシャフト１を回転させて、撥油剤溶液を塗布する。バネとスライド機構が、シャフト１の傾きや表面の凹凸を吸収して安定した塗布を可能にする事は、塗布装置２の場合と同様である。なお、図１乃至３では、塗布装置１２を設置する土台等は省略して図示していない。
【実施例３】
【００３２】
図４Ａ、図４Ｂは、塗布部３の例を示す拡大図であり、左側には断面図、右側には先端側から臨んだ場合の形態を示している。
【００３３】
図４Ａにおいて、塗布部３は、四角柱形状の接触体４と、接触体４を内側に収容する鞘６とからなっている。接触体４の周囲と鞘６の内周面との間には、周方向の４箇所で微小な毛細間隙１１が形成されており、軸方向に延長している。毛細間隙１１の中は撥油剤溶液１０で満たされており、先端付近の開口部４６で終端している。
【００３４】
毛細間隙の開口部４６に隣接して接触面４５が形成されており、開口部４６から溢れ出た撥油剤溶液は、接触体４の表面に沿って拡がり、塗布作業時に塗布対象の表面に塗布される。
【００３５】
図４Ｂにおいて、接触体４１には、軸方向に延長し接触面４５の中央部に開口する、毛細間隙１１が形成されている。図示範囲の外で、この毛細間隙は貯留部に接続されており、撥油剤溶液を供給されている。図４Ａの方法と異なり、接触体の中央に開口があるため、塗布作業の最中に、毛細間隙の開口部で固化した撥油剤が生ずる事は、稀である。
【００３６】
図４Ａ、図４Ｂ共に十分な剛性を備えた鞘６を有しているため、塗布部３全体としても剛性が大きく、精密な塗布作業を安定して実施する事ができる。
【実施例４】
【００３７】
図５Ａ、図５Ｂは、塗布部３の他の例を示す拡大図であり、左側には断面図、右側には先端側から臨んだ場合の形態を示している。
【００３８】
図５Ａにおいて、接触体４２は、微細な繊維状材料を束ねて構成され、軸方向に液体が流通可能な微小間隙を有する。この接触体４２は、鞘６の内側に収容されており、鞘６によって剛性が確保されている。接触体４２の他端は、図示していない流通路に繋がっており、そこから撥油剤溶液の供給を受ける。微小間隙自体も、流通路の末梢を構成する。撥油剤溶液１０は、この場合、接触体４２の先端部ににじみ出て、先端部を覆う。
【００３９】
図５Ｂは、より簡易な塗布部の構成の例である。図５Ｂにおいて、接触体４２は、やはり、微細な繊維状材料を束ねて構成され、軸方向に液体が流通可能な微小間隙を有する。しかし、図５Ａと異なり、鞘６を備えていない。塗布部３の剛性は、接触体４２のみで確保する。このため、図５Ａの構成よりも、押し付けによる塗布部の変形は大きい。しかし、材質を選択することにより、十分な弾性を接触体に持たせることが可能である。このため、図５Ｂの構成でも、塗布作業を円滑に行う事ができる。
【００４０】
また、図５Ｂの構成では、鞘６が無いために、接触体４２の側面からの溶媒の蒸発も多い。ただし、蒸発後に残る固化した撥油剤が、それ以上に溶媒が蒸発する事を抑制するため、無制限に溶媒が気化する事は無い。
【実施例５】
【００４１】
図６は、接触体４３を球形にした例である。球形の接触体４３は、鞘６の先端に形成された凹部４７の内周に回転可能に保持され、先端部の内周面と接触体４３表面との間に、毛細間隙が確保されている。この毛細間隙には、流通路９を通じで撥油剤溶液１０が供給され、接触体４３の回転によって、塗布対象に面する接触面４５に撥油剤溶液が運ばれる。毛細間隙自体も流通路９の末梢を構成する。この構造では、塗布時において接触体４３は常に回転しているため、接触面４５も次々に球体上の隣の位置に移ってゆく。
【００４２】
図６の塗布部３では、接触面の摺動ではなく転動によって撥油剤溶液が塗布されるため、摺動が伴う塗布を嫌う用途に好適である。
【実施例６】
【００４３】
図７は、貯留部５の内側に、吸着繊維５０を詰め、撥油剤溶液が、貯留部内部でより安定して保持されるように構成したものである。この吸着繊維は、貯留部内部全体に詰めても良いし、通気孔５１付近にのみ装着して、貯留部内部への空気の流入を抑制しても良い。何れの方法を用いても、粘性が低く極めて容易に流出する撥油剤溶液に対して、塗布部先端からの流出速度を遅くし、過剰量の撥油剤溶液が流れ出す状態を、回避する事ができる。
【００４４】
上述した実施例１から６では、撥油剤用液の塗布対象は円柱形状をしたシャフトであるが、本発明の塗布方法は円柱形状をした部品に限定されるものではない。円筒形状をした軸受スリーブの内周面であっても、塗布先端を接触させられる限りは本発明による塗布方法の適用が可能である。また、言うまでもなく、機械部品の平坦面等、曲面ではない部位への適用も容易である。
【産業上の利用可能性】
【００４５】
本発明の用途は、撥油剤溶液の塗布に限定されるものではない。粘性が低く、かつ、容易に溶媒が蒸発して失われて固形部分を生ずる樹脂溶液を塗布する用途において、広く利用する事が可能である。
【図面の簡単な説明】
【００４６】
【図１】撥油剤溶液を塗布するための塗布装置の例
【図２】塗布装置の拡大図
【図３】撥油剤溶液を塗布するための塗布装置の他の例
【図４】塗布部の例
【図５】塗布部の他の例
【図６】塗布部の更に他の例
【図７】撥油剤溶液貯留部
【符号の説明】
【００４７】
１  シャフト
２，１２  塗布装置
３  塗布部
４，４１，４２，４３  接触体
５  貯留部
６  鞘
７  ワーク受部
８  撥油剤塗布部分
９  流通路
１０  撥油剤溶液
１１  毛細間隙
２１  チャック
２２  回転機構
２３  バネ
２４  蝶番
２５  スライド機構
４５  接触面
４６  毛細間隙開口
４７  鞘先端の凹部
５０  吸着繊維
５１  通気口
【図１】
2006320890.tif 000003
【図２】
2006320890.tif 000004
【図３】
2006320890.tif 000005
【図４】
2006320890.tif 000006
【図５】
2006320890.tif 000007
【図６】
2006320890.tif 000008
【図７】
2006320890.tif 000009